(57)【要約】【課題】遊動式の仕掛けに好適に用いられる釣り用餌保持具を提供すること。【解決手段】餌保持具１は、釣糸遊挿孔３２を有する錘部材３０と釣糸遊挿孔３２に遊挿された釣糸２０の先端部に結着された釣針２５とを備える遊動式の仕掛け５０に用いられ、釣針２５に取り付けられた餌４０の釣針２５に対する取付け状態を保持するものである。餌保持具１の餌保持具本体１Ａは、錘部材３０の釣糸遊挿孔３２に遊挿された釣糸２０における錘部材３０よりも先端部側の部分２２が挿通される釣糸挿通孔を有する環状取付け部２と、取付け部２から釣針２５側に延出する軸部５と、軸部５の先端部に軸部５に対して屈曲して形成されるとともに餌４０に突き刺す突き刺し部７とを備える。【選択図】図１
0003231192.tif 000002
【実用新案登録請求の範囲】
【請求項１】
釣糸遊挿孔を有する錘部材と前記釣糸遊挿孔に遊挿された釣糸の先端部に結着された釣針とを備える遊動式の仕掛けに用いられ、
前記釣針に取り付けられた餌の前記釣針に対する取付け状態を保持する、釣り用餌保持具であって、
前記錘部材の前記釣糸遊挿孔に遊挿された前記釣糸における前記錘部材よりも先端部側の部分が挿通される釣糸挿通孔を有する環状取付け部と、前記取付け部から前記釣針側に延出する軸部と、前記軸部の先端部に前記軸部に対して屈曲して形成されるとともに前記餌に突き刺す突き刺し部とを備えた餌保持具本体を具備する釣り用餌保持具。
【請求項２】
前記餌保持具本体において、
前記取付け部は、前記釣糸挿通孔の向きに対して側方に突出した突出部を有しており、
前記軸部は、前記取付け部の前記突出部の先端から前記釣針側に延出しており、
前記突き刺し部は、前記軸部の先端部に前記軸部に対して前記取付け部側に屈曲して形成されている請求項１記載の釣り用餌保持具。
【請求項３】
前記餌保持具本体は、金属製の線材が二つ折り状に前記取付け部にて折曲された一対の折半線で形成されており、
前記両折半線の前記両軸部が、前記両軸部間の隙間が前記両軸部の先端側に向かって漸次拡開した状態に形成されている請求項１又は２記載の釣り用餌保持具。
【請求項４】
前記両軸部間の隙間の基端側が前記釣糸の直径よりも狭い請求項３記載の釣り用餌保持具。
【請求項５】
前記取付け部の前記釣糸挿通孔に挿通された前記釣糸が前記両折半線の前記両軸部間の隙間を通過しないように前記釣糸の移動を規制する環状又は管状の規制部材を更に具備しており、
前記規制部材は、その内側に前記両折半線の前記両軸部が挿通された状態に前記両軸部に取り付けられるものである請求項３又は４記載の釣り用餌保持具。
【請求項６】
前記規制部材の長さは前記両軸部の長さの半分以下であり、
前記規制部材は前記両軸部の両基端部側に取り付けられるものであり、
前記規制部材が前記両軸部の両基端部側に取り付けられた状態のとき前記両軸部間の隙間の先端側が開いた状態になるように、前記両軸部が形成されている請求項５記載の釣り用餌保持具。
【請求項７】
釣糸遊挿孔を有する錘部材と、前記釣糸遊挿孔に遊挿される釣糸の先端部に結着される釣針と、請求項１〜６のいずれかに記載の餌保持具とを備える遊動式の釣り用仕掛け。
【考案の詳細な説明】
【技術分野】
【０００１】
本考案は、中通し錘などの錘部材を備えた遊動式釣り用仕掛けに用いられる餌保持具、及び遊動式釣り用仕掛けに関する。
【背景技術】
【０００２】
釣り用仕掛けとして、登録実用新案第３１９６２１０号公報（特許文献１）、登録実用新案第３２０８８８６号公報（特許文献２）及び特開２０１９−１１８３１３号公報（特許文献３）は、釣針に取り付けたエビ等の餌の釣針に対する取付け状態を保持する餌保持具を備えた仕掛けを開示している。
【０００３】
これらの公報に開示された仕掛けは、一般にジグヘッドやテンヤと呼ばれるものであり、釣針と錘部材が一体になっている。そして、餌保持具が錘部材に取り付けられている。
【０００４】
また釣り用仕掛けとして、鯛ラバ（鯛カブラ）などのように、釣糸遊挿孔を有する錘部材（例：中通し錘）と釣糸遊挿孔に遊挿された釣糸の先端部に結着された釣針とを備える遊動式の仕掛けも知られている（例えば登録実用新案第３１９０１２６号公報（特許文献４）参照）。
【先行技術文献】
【特許文献】
【０００５】
【特許文献１】登録実用新案第３１９６２１０号公報
【特許文献２】登録実用新案第３２０８８８６号公報
【特許文献３】特開２０１９−１１８３１３号公報
【特許文献４】登録実用新案第３１９０１２６号公報
【考案の概要】
【考案が解決しようとする課題】
【０００６】
上述した遊動式仕掛けでは、錘部材が釣糸に沿って釣針に対して相対的に遊動する。そのため、餌保持具を上記特許文献１〜３に開示されたジグヘッド（テンヤ）のように錘部材に取り付けた場合、錘部材が釣糸に沿って遊動すると当該錘部材と一緒に餌保持具が釣糸に沿って遊動するため、餌保持具が餌から外れるという問題があった。
【０００７】
本考案は上述した技術背景に鑑みてなされたもので、その目的は遊動式の仕掛けに好適に用いられる釣り用餌保持具、及びこれを備えた遊動式釣り用仕掛けを提供することにある。
【課題を解決するための手段】
【０００８】
本考案は以下の手段を提供する。
【０００９】
１）  釣糸遊挿孔を有する錘部材と前記釣糸遊挿孔に遊挿された釣糸の先端部に結着された釣針とを備える遊動式の仕掛けに用いられ、
前記釣針に取り付けられた餌の前記釣針に対する取付け状態を保持する、釣り用餌保持具であって、
前記錘部材の前記釣糸遊挿孔に遊挿された前記釣糸における前記錘部材よりも先端部側の部分が挿通される釣糸挿通孔を有する環状取付け部と、前記取付け部から前記釣針側に延出する軸部と、前記軸部の先端部に前記軸部に対して屈曲して形成されるとともに前記餌に突き刺す突き刺し部とを備えた餌保持具本体を具備する釣り用餌保持具。
【００１０】
２）  前記餌保持具本体において、
前記取付け部は、前記釣糸挿通孔の向きに対して側方に突出した突出部を有しており、
前記軸部は、前記取付け部の前記突出部の先端から前記釣針側に延出しており、
前記突き刺し部は、前記軸部の先端部に前記軸部に対して前記取付け部側に屈曲して形成されている前項１記載の釣り用餌保持具。
【００１１】
３）  前記餌保持具本体は、金属製の線材が二つ折り状に前記取付け部にて折曲された一対の折半線で形成されており、
前記両折半線の前記両軸部が、前記両軸部間の隙間が前記両軸部の先端側に向かって漸次拡開した状態に形成されている前項１又は２記載の釣り用餌保持具。
【００１２】
４）  前記両軸部間の隙間の基端側が前記釣糸の直径よりも狭い前項３記載の釣り用餌保持具。
【００１３】
５）  前記取付け部の前記釣糸挿通孔に挿通された前記釣糸が前記両折半線の前記両軸部間の隙間を通過しないように前記釣糸の移動を規制する環状又は管状の規制部材を更に具備しており、
前記規制部材は、その内側に前記両折半線の前記両軸部が挿通された状態に前記両軸部に取り付けられるものである前項３又は４記載の釣り用餌保持具。
【００１４】
６）  前記規制部材の長さは前記両軸部の長さの半分以下であり、
前記規制部材は前記両軸部の両基端部側に取り付けられるものであり、
前記規制部材が前記両軸部の両基端部側に取り付けられた状態のとき前記両軸部間の隙間の先端側が開いた状態になるように、前記両軸部が形成されている前項５記載の釣り用餌保持具。
【００１５】
７）  釣糸遊挿孔を有する錘部材と、前記釣糸遊挿孔に遊挿される釣糸の先端部に結着される釣針と、前項１〜６のいずれかに記載の餌保持具とを備える遊動式の釣り用仕掛け。
【考案の効果】
【００１６】
本考案は以下の効果を奏する。
【００１７】
前項１では、餌保持具本体は釣糸挿通孔を有する環状取付け部を備えているので、釣糸における錘部材よりも先端部側の部分を釣糸挿通孔に挿通することにより餌保持具本体が錘部材ではなく釣糸に取り付けられる。したがって、錘部材が釣針に対して相対的に遊動した場合でも餌保持具本体が錘部材と一緒に遊動せず、餌を餌保持具本体で保持した状態を維持することができる。
【００１８】
前項２では、餌保持具本体の取付け部が釣糸挿通孔の向きに対して側方に突出した突出部を有するとともに、この突出部の先端から軸部が釣針側に延出するとともに、突き刺し部が軸部の先端部に軸部に対して取付け部側に屈曲して形成されているので、餌保持具本体の突き刺し部を餌に突き刺し易いし、更に、餌保持具本体の突き刺し部を餌に突き刺した状態、即ち餌を餌保持具本体で保持した状態では取付け部の釣糸挿通孔が当該釣糸挿通孔に挿通した釣糸に沿う方向に向くので、餌を餌保持具本体で保持した状態を確実に維持することができる。
【００１９】
前項３では、餌保持具本体は金属製の線材が二つ折り状に取付け部にて折曲された一対の折半線で形成されており、両折半線の両軸部が、両軸部間の隙間が両軸部の先端側に向かって漸次拡開した状態に形成されていることから、釣糸を取付け部の釣糸挿通孔に挿通する場合には、両折半線の両軸部間の隙間にその先端側から釣糸を差し入れて、釣糸を隙間に沿って取付け部の釣糸挿通孔まで移動させることにより、釣糸を釣糸挿通孔に挿通することができる。したがって、餌保持具本体を釣糸に容易に取り付けることができる。
【００２０】
前項４では、両折半線の両軸部間の隙間の基端側が釣糸の直径よりも狭いので、取付け部の釣糸挿通孔に挿通した釣糸が両軸部間の隙間をその先端方向に通過するのを抑制することができる。そのため、釣糸に取り付けられた餌保持具本体の釣糸からの不慮の脱落を抑制することができる。
【００２１】
前項５では、餌保持具は環状又は管状の規制部材を更に備えており、この規制部材をその内側に両折半線の両軸部が挿通された状態に両軸部に取り付けることにより、取付け部の釣糸挿通孔に挿通した釣糸が両軸部間の隙間を通過するのを規制部材により規制することができる。そのため、餌保持具本体の釣糸からの不慮の脱落を確実に抑制することができる。
【００２２】
前項６では、規制部材が両軸部の両基端部側に取り付けられた状態のとき両軸部間の隙間がその先端側に開いた状態になるので、両軸部の先端側への規制部材の移動が抑制される。そのため、規制部材の両軸部からの不慮の脱落を抑制することができる。
【００２３】
前項７では、前項１〜６のいずれかに記載の効果を発揮しうる遊動式の釣り用仕掛けを提供できる。
【図面の簡単な説明】
【００２４】
【図１】図１は本考案の一実施形態に係る遊動式の釣り用仕掛けをその餌保持具で餌を保持した状態で示す概略側面図である。
【図２】図２は餌保持具本体を示す図で、（ａ）は側面図、（ｂ）はＢ−Ｂ線断面図、及び（ｃ）は平面図である。
【図３】図３は規制部材の斜視図である。
【図４】図４は同規制部材を餌保持具本体の軸部に取り付けた状態を示す平面図である。
【考案を実施するための形態】
【００２５】
次に、本考案の一実施形態について図面を参照して以下に説明する。
【００２６】
図１に示すように、本考案の一実施形態に係る釣り用仕掛け５０は、一般に鯛ラバ（鯛カブラ）や遊動テンヤと呼ばれているものであり、錘部材３０、釣針２５、餌保持具１などを備える。この仕掛け５０に用いられる餌４０（二点鎖線で示す）の種類は釣りたい魚に対応して選択されるものであり、本実施形態では餌４０として生餌が用いられ具体的にはエビが用いられる。
【００２７】
錘部材３０はヘッドとも呼ばれているものであり、真鍮、鉛、タングステン等の金属からなる。さらに、錘部材３０は詳述すると中通し錘であり、錘部材３０を貫通した貫通孔を有するとともに、この貫通孔に釣糸２０を保護する樹脂製保護チューブ３１が挿通された状態に錘部材３０に固着されており、この保護チューブ３１の中空部が錘部材３０の釣糸遊挿孔３２とされている。そして、この釣糸遊挿孔３２に道糸から延びた釣糸２０としての第１釣糸２１が遊挿されており、これにより錘部材３０が第１釣糸２１に沿って遊動（摺動）移動可能になっている。
【００２８】
釣糸遊挿孔３２に遊挿された第１釣糸２１の先端部にはスイベル２８を介して釣糸２０の先端部側の部分を構成する第２釣糸２２が接続されるとともに、この第２釣糸２２の先端部に釣針２５が結着されている。なお本実施形態では、この第２釣糸２２が請求項１に記載の「錘部材の釣糸遊挿孔に遊挿された釣糸における錘部材よりも先端部側の部分」に対応している。
【００２９】
さらに、第１釣糸２１の先端部には上述のスイベル２８を介して第３釣糸２３が接続されるとともに、この第３釣糸２３の先端部に孫針２６が結着されている。この孫針２６は、釣針２５に取り付けられた餌（エビ）４０の先端部（エビの頭部）に突き刺して使用されるものである。
【００３０】
ここで、上述の釣針２５は親針やメインフック（主釣針）とも呼ばれており、孫針２６はサブフック（副釣針）やアシストフック（補助釣針）とも呼ばれている。また、第２釣糸２２及び第３釣糸２３はハリスとも呼ばれており、両者の直径は互いに同じである。
【００３１】
なお本考案では、仕掛け５０は必ずしも孫針２６及び第３釣糸２３を備えていなくてもよいし、スイベル２８を必ずしも備えていなくてもよい。
【００３２】
なお、図１中の符号「２９ａ」、「２９ｂ」及び「２９ｃ」はそれぞれビーズである。これらのビーズにおいて、ビーズ２９ａは、第２釣糸２２の基端部側と第３釣糸２３の基端部側とが一緒にビーズ２９ａ内に挿通されることで第２及び第３釣糸２２、２３の両基端部側に取り付けられている。ビーズ２９ｂは、第２釣糸２２がビーズ２９ａ内に挿通されることで第２釣糸２２に取り付けられている。ビーズ２９ｃは、第３釣糸２３がビーズ２９ｃ内に挿通されることで第３釣糸２３に取り付けられている。
【００３３】
餌保持具１は、釣針２５に取り付けられた餌４０の釣針２５に対する取付け状態を保持するものであり、餌保持具本体１Ａと管状の規制部材８を具備する。
【００３４】
図２に示すように、餌保持具本体１Ａは、第２釣糸２２が挿通される釣糸挿通孔２ａを有する環状の取付け部２と、釣糸挿通孔２ａに第２釣糸２２が挿通された状態において取付け部２から釣針２５側に延出した軸部５と、軸部５の先端部に軸部５に対して屈曲して形成された突き刺し部７とを備えている。
【００３５】
取付け部２において、釣糸挿通孔２ａの直径（即ち取付け部２の内径）は第２釣糸２２の直径よりも大きい。さらに、取付け部２は釣糸挿通孔２ａの向きに対して側方に突出した突出部３を有している。そして、この突出部３の先端から突出部３に対して所定の屈曲角θ１で局部的に屈曲した屈曲部４を介して軸部５が釣針２５側に延出している。屈曲部４の屈曲角θ１は限定されるものではなく、特に９０°〜１４０°の範囲であることが好ましい。
【００３６】
突き刺し部７は、釣針２５に取り付けられた餌４０にその長さ方向に対して側方側から突き刺すことにより餌４０を保持するものである（図１参照）。詳述すると、突き刺し部７は軸部５の先端部に軸部５に対して取付け部２側に屈曲した略円弧状の屈曲部６を介して形成されている。軸部５に対して突き刺し部７がなす角度は鋭角である。ただし本考案は、この角度が鋭角であることに限定されるものではなく、その他に例えば略直角（約９０°）であってもよく、特に５０°〜９０°の範囲であることが、釣針２５に取り付けられた餌４０に突き刺し部７を突き刺し易い、餌４０を確実に保持しうる点などで好ましい。
【００３７】
軸部５は、その基端部５ａ側が真直状であり、この真直状の部分よりも先端側の部分が真直状の部分に対して取付け部２側に緩やかに略円弧状に屈曲しており、その曲率半径は軸部５と突き刺し部７との間の屈曲部６の曲率半径よりも大きく設定されている。
【００３８】
餌保持具本体１Ａの構成について以下に更に詳細に説明する。
【００３９】
餌保持具本体１Ａは、金属製のバネ線材等からなる線材１０が二つ折り状に取付け部２にて折曲されてなる左右一対の折半線１１、１１で形成されたものであって、取付け部２では局部的に環状に形成されている（図２（ｂ）参照）。したがって、両折半線１１、１１は互いに同一形状であって、両折半線１１、１を連結している線材１０の折曲部には環状の取付け部２が形成されるとともに、各折半線１１には上述した突出部３、屈曲部４、軸部５、屈曲部６、突き刺し部７等が形成されている。
【００４０】
図２（ｃ）に示すように、両折半線１１、１１の両軸部５、５は、両軸部５、５間の隙間５ｓが両軸部５、５の先端側に向かって漸次拡開した状態に形成されている。両軸部５、５間の開き角度θ２は限定されるものではなく、特に５°〜１５°の範囲であることが好ましい。
【００４１】
さらに、両軸部５、５間の開き角度θ２は、両軸部５、５の基端部５ａ側よりも両軸部５、５の先端部側の方が若干大きくなっている。
【００４２】
さらに、両軸部５、５間の隙間５ｓの基端側が第２釣糸２２の直径よりも狭くなっており、また両突出部３、３間の隙間３ｓも第２釣糸２２の直径よりも狭くなっている。具体的には、両軸部５、５の両基端同士が当接しており（図２（ｃ）参照）、更に両突出部３、３同士も当接している（図２（ｂ）参照）。したがって、両軸部５、５間の隙間５ｓが両軸部５、５の基端位置で０ｍｍになっており、更に両突出部３、３間の隙間３ｓも０ｍｍになっている。なお、取付け部２の釣糸挿通孔２ａの直径は上述したように第２釣糸２２の直径よりも大きくなっている。
【００４３】
図３及び４に示すように、規制部材８は樹脂、ゴム等の軟質素材からなる。規制部材８の長さは両折半線１１、１１の両軸部５、５の長さの半分以下であり、好ましくは両軸部５、５の長さに対して約１／５倍〜約１／２倍の長さである。
【００４４】
この規制部材８は、その内側に両折半線１１、１１の両軸部５、５が挿通された状態に両軸部５、５の両基端部５ａ、５ａ側に取り付けられることにより、取付け部２の釣糸挿通孔２ａに挿通された第２釣糸２２が釣糸挿通孔２ａから両軸部５、５間の隙間５ｓを通過しないように第２釣糸２２の移動を規制するものである。
【００４５】
図４に示すように、規制部材８が両軸部５、５の両基端部５ａ、５ａ側に取り付けられた状態では、規制部材８の内周面が両軸部５、５に圧接しており、更に、上述したように規制部材８の長さが両軸部５、５の長さの半分以下であり且つ両軸部５、５間の開き角度θ２が両軸部５、５の基端部５ａ側よりも両軸部５、５の先端部側の方が大きくなっているため、両軸部５、５間の隙間５ｓの先端側が開き角度θ３で開いた状態になっている。これにより、両軸部５、５の先端側への規制部材８の移動が抑制されている。そのため、規制部材８の両軸部５、５からの不慮の脱落を抑制することができる。開き角度θ３は限定されるものではなく、特に３°〜１０°の範囲であることが好ましい。
【００４６】
餌保持具本体１Ａを第２釣糸２２に取り付ける場合は、餌保持具本体１Ａを構成する両折半線１１、１１の両軸部５、５間の隙間５ｓにその先端側から第２釣糸２２を差し入れて、第２釣糸２２が両軸部５、５間の隙間５ｓ及び両突出部３、３間の隙間３ｓを順次通過するように第２釣糸２２をこれらの隙間５ｓ、３ｓに沿って取付け部２の釣糸挿通孔２ａまで移動させる。これにより第２釣糸２２が釣糸挿通孔２ａに挿通され、餌保持具本体１Ａ（取付け部２）が第２釣糸２２に取り付けられる。
【００４７】
この第２釣糸２２の釣糸挿通孔２ａへの挿通操作において、第２釣糸２２が両軸部５、５間の隙間５ｓの基端側を通過するとき両軸部５、５の両基端部５ａ、５ａ側がその隙間５ｓが広がるように第２釣糸２２で弾性的に押し広げられ、第２釣糸２２が両軸部５、５の隙間５ｓの基端側を通過したとき両軸部５、５が線材１０の弾性復元力により元の位置に戻る。これと同じく、第２釣糸２２が両突出部３、３間の隙間３ｓを通過するとき両突出部３、３がその隙間３ｓが広がるように第２釣糸２２で弾性的に押し広げられ、第２釣糸２２が両突出部３、３間の隙間３ｓを通過したとき両突出部３、３が線材１０の弾性復元力により元に位置に戻る。
【００４８】
したがって、第２釣糸２２が釣糸挿通孔２ａに挿通されたときには、両折半線１１、１１は第２釣糸２２を釣糸挿通孔２ａに挿通する前の状態に戻っている。よって、両折半線１１、１１の両軸部５、５間の隙間５ｓの基端側及び両突出部３、３間の隙間３ｓはそれぞれ第２釣糸２２の直径よりも狭くなっている。そのため、餌保持具本体１Ａの第２釣糸２２からの不慮の脱落を抑制することができる。
【００４９】
上述のように餌保持具本体１Ａを第２釣糸２２に取り付けた後において、餌保持具本体１Ａの第２釣糸２２からの不慮の脱落を確実に抑制するため、規制部材８を餌保持具本体１Ａの両折半線１１、１１の両軸部５、５に次のようにして取り付ける。
【００５０】
すなわち、人（例：釣り人）の一方の手（例えば左手）の指で規制部材８を掴むとともに、餌保持具本体１Ａの両折半線１１、１１の両突き刺し部７、７をもう一方の手（例えば右手）の指で閉じ合わせ、当該両突き刺し部７、７をその先端から規制部材８の内側に挿入して規制部材８を両軸部５、５の両基端部５ａ、５ａ側まで両軸部５、５に沿って摺動移動させる。規制部材８が両軸部５、５の両基端部５ａ、５ａ側に到達したとき指を規制部材８から離す。すると、図４に示すように線材１０の弾性復元力により両軸部５、５間の隙間５ｓの先端側が開いた状態になる。そのため、規制部材８が両軸部５、５の先端側へ移動しないように抑制される。以上の操作により、規制部材８が両軸部５、５の両基端部５ａ、５ａ側に取り付けられる。
【００５１】
この取付け状態では、釣糸挿通孔２ａに挿通された第２釣糸２２が両軸部５、５間の隙間５ｓを通過するのを規制部材８により規制されており、更に、両軸部５、５間の隙間５ｓがその先端側に開いた状態になることにより規制部材８が両軸部５、５の先端側へ移動しないように抑制されているので、餌保持具本体１Ａの第２釣糸２２からの不慮の脱落を確実に抑制することができる。
【００５２】
次に、本実施形態の釣り用仕掛け５０の使用方法について以下に説明する。
【００５３】
図１に示すように、餌４０の尾扇部を切除し、釣針２５を餌４０の尾扉部近傍に突き刺すことにより餌４０を釣針２５に取り付ける。次いで孫針２６を餌４０の先端部に突き刺す。
【００５４】
そして、第２釣糸２２に取り付けた餌保持具本体１Ａの両突き刺し部７、７を餌４０にその長さ方向に対して側方側から突き刺す。これにより、餌４０の釣針２５に対する取付け状態が餌保持具本体１Ａで保持される。さらに、餌保持具本体１Ａの第２釣糸２２からの不慮の脱落を確実に抑制するため、規制部材８を餌保持具本体１Ａの両折半線１１、１１の両軸部５、５に取り付ける。この状態で魚釣りが行われる。
【００５５】
なお本考案では、上述した孫針２６を餌４０の先端部に突き刺す操作と餌保持具本体１Ａの両突き刺し部７、７を餌４０に突き刺す操作との順番を逆にしてもよい。
【００５６】
第２釣糸２２に取り付けた餌保持具本体１Ａを第２釣糸２２から取り外す場合には、規制部材８に対して上述した餌保持具本体１Ａの両軸部５、５への規制部材８の取付け操作と逆の操作を行うことにより、規制部材８を両軸部５、５から取り外す。次いで、餌保持具本体１Ａに対して上述した餌保持具本体１Ａの第２釣糸２２への取付け操作と逆の操作を行うことにより、餌保持具本体１Ａが第２釣糸２２から取り外される。
【００５７】
以上で本考案の一実施形態について説明したが、本考案は上記実施形態に限定されるものではなく、本考案の要旨を逸脱しない範囲で様々に変更可能である。
【００５８】
また本考案では、規制部材８の形状は管状であることに限定されるものではなく、その他に環状であってもよい。
【産業上の利用可能性】
【００５９】
本考案は、中通し錘などの錘部材を備えた遊動式釣り用仕掛けに用いられる餌保持具、及び遊動式釣り用仕掛けに利用可能である。
【符号の説明】
【００６０】
１：餌保持具                          １Ａ：餌保持具本体
２：取付け部                          ２ａ：釣糸挿通孔
３：突出部                            ５：軸部
５ａ：軸部の基端部                    ５ｓ：両軸部間の隙間
７：突き刺し部                        １０：線材
１１、１１：一対の折半線              ２０：釣糸
２５：釣針                            ３０：錘部材
３２：釣糸遊挿孔                      ４０：餌
５０：釣り用仕掛け
【図１】
0003231192.tif 000003
【図２】
0003231192.tif 000004
【図３】
0003231192.tif 000005
【図４】
0003231192.tif 000006